(57)【特許請求の範囲】
【請求項１】
Ｃ形チャンネルから成る固定レールにＣ形チャンネルから成る摺動レールを入れ子構造にして伸縮レールを形成し、最前段の摺動レールの溝内にＣ形チャンネルから成る金型ホルダーを取り付け、該金型ホルダーの溝内にベンダー金型を形成するパンチ又はダイを収置する構成とし、他方棚を有するラックを形成し、該棚上に上記伸縮レールを固定レールを以って並列に取り付け、上記摺動レールの伸長により上記ベンダー金型をラック外へ引き出し、上記摺動レールの収縮により上記ベンダー金型をラック内へ収容する構成としたことを特徴とするベンダー金型の収納ラック。
【請求項２】
上記金型ホルダーを上記最前段の摺動レールに対し螺子止めにより交換可に取り付けたことを特徴とする請求項１記載のベンダー金型の収納ラック。
【発明の詳細な説明】
【０００１】
【発明の属する技術分野】
本発明は工作機械の一種である板金曲げ加工用ベンダーに使用するベンダー金型、即ちパンチとダイの収納手段に関する。
【０００２】
【従来の技術】
板金曲げ加工用ベンダーはパンチとダイによって板金に曲げ加工を与える工作機械であり、主としてＬ形曲げや弧形曲げ等の、細長い板金の曲げ加工に使用され、この曲げ加工品の口径や長さに応じて多数のベンダー金型を必要とし、一つの工場に多数のパンチとダイを所有せねばならない実状にある。
【０００３】
【発明が解決しようとする課題】
而して従来これらパンチとダイは工場内の荷台上に適当な支持枕を介してランダムに並列設置され、同ベンダー金型の保管・管理が適切に行い難い現状にあり、殊に金型収納に広い占有スペースを要し、金型の収納と取り出し作業の能率性に欠け、安全性に欠ける問題を有している。
【０００４】
【課題を解決するための手段】
本発明は上記板金曲げ加工用ベンダーの設備工場における、上記問題を抜本的に解決し、ベンダー金型の保管・管理を適切に行い得るようにしたベンダー金型の収納ラックを提供するものである。
【０００５】
このベンダー金型の収納ラックはＣ形チャンネルから成る固定レールにＣ形チャンネルから成る摺動レールを入れ子構造にして伸縮レールを形成し、最前段の摺動レールの溝内にＣ形チャンネルから成る金型ホルダーを取り付け、該金型ホルダーの溝内にベンダー金型を形成するパンチ又はダイを収置する構成とする。
【０００６】
他方棚を有するラックを形成し、この棚上に上記伸縮レールを固定レールを以って並列に取り付け、上記摺動レールの伸長により上記ベンダー金型をラック外へ引き出し、上記摺動レールの収縮により上記ベンダー金型をラック内へ収容する構成としたものである。
【０００７】
上記金型ホルダーは上記最前段の摺動レールに対し螺子止めにより交換可に取り付ける。
【０００８】
本発明によれば、ラック内からベンダー金型の全長を引き出し、又はベンダー金型の全長をラック内に収納保持でき、ベンダー金型の収納と取り出し、点検と整理整頓を容易にし、ベンダー金型の保管・管理の合理化に資することができる。
【０００９】
又伸縮レールを並設した上下複段の棚上にベンダー金型を使用する構成であるので、又工場の使用金型の増加に応じ、ラックを二段積み、三段積みする等して限定されたスペースで多数のベンダー金型の保管・管理を行うことができる。
【００１０】
又ラックを箱構造にしてベンダー金型を遮閉し、防塵、防錆の構造を容易に採り得る。
【００１１】
【発明の実施の形態】
以下本発明の実施の形態を図１乃至図５に基づき説明する。
【００１２】
ラック１は底板２と左右側板３，４と天板５と背板６によって画成された箱形を呈し、前面において開放されており、該ラック１内に棚７を上下複段に設ける。
【００１３】
例えば、上記棚７はラック１内を仕切る棚板によって形成するか、図示の様に複数の支持バー８を前後に間隔を置いて左右方向に横架し上記棚７を形成する。よって支持バー８間は上下に開放し連通している。
【００１４】
他方Ｃ形チャンネルから成る固定レール９にＣ形チャンネルから成る摺動レール１０を入れ子構造にして伸縮レールを形成する。
【００１５】
上記Ｃ形チャンネル、即ち固定レール９と摺動レール１０は少なくとも底部条板１１と、該底部条板１１の左右側縁から長手方向に亘って対向して立ち上げた側部条板１２とを有し、上面において長手方向に亘り開放された溝１３を画成している。このＣ形チャンネルは一枚の金属条板を上記形状に一体に曲げ加工する。
【００１６】
例えば、図示の如き３段引き構造の伸縮レールである場合には、固定レール９の内側に中段の摺動レール１０を入れ子にし、該中段摺動レール１０の内側に前段の摺動レール１０を入れ子にする。よって中段摺動レール１０は固定レール９に案内されて伸縮し、前段摺動レール１０は中段摺動レール１０に案内されて伸縮する。換言すると、各摺動レール１０は固定レール９内に収納され収縮するか、固定レール９から引き出されて伸長する。この伸縮レールは各レール９，１０の溝１３が全て上方に向け開放している。
【００１７】
上記固定レール９に入れ子にされた摺動レール１０の側部条板１２には滑子１４を突設し、該滑子１４を固定レール９の側部条板１２に設けたガイド溝１５に滑合し、固定レール９に対する伸長摺動ストロークを設定する、即ちストッパーとして機能する。
【００１８】
同様に上記中段の摺動レール１０に入れ子にされた前段摺動レール１０間には、該前段摺動レール１０の移動過程で中段摺動レール１０に係合して前者に対する後者の伸長摺動ストロークを設定するストッパー１６を設ける。該ストッパー１６は例えば左右側部条板１２に切り欠きや切り起こし片を設けて伸長摺動過程で係合する構成にする。上記ガイド溝１５と滑子１４に代えて該切り欠きや切り起こし片によるストッパー１６を用いることができる。
【００１９】
上記伸縮レールは少なくとも一本の固定レール９と一本の摺動レール１０によって形成できる。
【００２０】
上記固定レール９と中段の摺動レール１０には、その左右側部条板１２の上端から内向きフランジ３５を張り出し、両内向きフランジ３５を互いに上下に重なり合うようにして、固定レール９に対する中段摺動レール１０の上方向、即ち溝１３解放方向への変位を防止し、直線伸縮動を確保する。同様に中段摺動レール１０に対する前段摺動レール１０の上方向、即ち溝１３解放方向への変位を防止し、直線伸縮動を確保する。
【００２１】
同時に上記内向きフランジ３５は固定レール９から各摺動レール１０が引き出されて伸長した時のベンダー金型の重量を荷受けし、摺動レール１０の直線状態を保つようにする。
【００２２】
而して前記ラック１の棚７を形成する支持バー８に上記伸縮レールの固定レール９を前後方向に横架しつつこれを左右方向に複数本並設し、該固定レール９を支持バー８に取り付ける。よって棚７上に上記伸縮レールを固定レール９を以って並列に取り付ける。
【００２３】
例えば、固定レール９の底部条板１１から下方へ向け突出する螺子１７を一体に設けておき、他方上記支持バー８に長手方向に亘る長孔１８を設けておき、該長孔１８に上記螺子１７を貫挿し、ナット１９にて締結することにより固定レール９を支持バー８、即ち棚７に固装する。
【００２４】
上記螺子１７は長孔１８の延在長の任意の位置を選択し取り付け、該取り付け位置の選択により伸縮レールの並設間隔を任意に設定する。
【００２５】
上記最前段の摺動レール１０の溝１３内にＣ形チャンネルから成る金型ホルダーを取り付け、該金型ホルダーの溝２６内にベンダー金型を形成するパンチ２０又はダイ２１を収置する構成とする。従って金型ホルダーはパンチホルダー２２とダイホルダー２３とから成る。
【００２６】
上記パンチホルダー２２及びダイホルダー２３を形成する上記Ｃ形チャンネルは、前記と同様、少なくとも底部条板２４と、該底部条板２４の左右側縁から長手方向に亘って対向して立ち上げた側部条板２５とを有し、上面において長手方向に亘り開放された溝２６を画成している。このＣ形チャンネルは一枚の金属条板を上記形状に一体に曲げ加工する。
【００２７】
上記ダイホルダー２３は略断面方形のダイ２１全体を収置する溝形態を有する底部条板２４と側部条板２５とから成るＣ形チャンネルである。
【００２８】
又上記パンチホルダー２２はパンチ２０の基部の取り付けフランジ２７を略ガタなく収置する溝形態を有する底部条板２４と側部条板２５とから成るＣ形チャンネルであり、該パンチホルダー２２の少なくとも一方の側部条板２５から側方へ向けパンチ支持板２８を曲げ出し、該パンチ支持板２８に上記取り付けフランジ２７とパンチ本体の段部を支持し、傾倒を防止する。従ってパンチ２０はパンチホルダー２２の開口面から上方へ突出した状態で溝２６内に収置される。
【００２９】
上記金型ホルダー、即ちパンチホルダー２２及びダイホルダー２３を上記最前段の摺動レール１０に対し螺子止めにより交換可に取り付ける。詳述すると、例えばホルダー２２，２３の底部条板２４に間隔的に取り付け穴２９を設けると共に、最前段の摺動レール１０の底部条板１１にこれに対応する取り付け穴３０を間隔的に設け、両取り付け穴２９，３０に皿螺子等の螺子３１を螺合し最前段の摺動レール１０にホルダー２２，２３を着脱可に取り付ける。
【００３０】
上記摺動レール１０の伸長により上記ベンダー金型（パンチ２０又はダイ２１）をラック１の前面開口部から外部へ引き出し、上記摺動レール１０の収縮により上記摺動レール１０を固定レール９内へ収容し、よって上記金型ホルダー及びベンダー金型をラック１内へ収容する。
【００３１】
上記最前段の摺動レール１０の前端には、その底部条板１１の前端部から引き出し操作板３４等の把手を一体に下設し、作業者が該操作板３４を手掛かりとして伸長と収縮作業が至便に行えるようにする。
【００３２】
上記ラック１の底面にはその四隅にスタンド用突起３２を下方へ向け突設し、該スタンド用突起３２を以って工場内の床に設置する。他方ラック１の上面の四隅にスタンド用突起３２を受け入れるほぞ孔３３を設ける。
【００３３】
これによって工場の床に設置された単位ラック１の上に他の単位ラック１を重ね載せし、上段のラック１の上記スタンド用突起３２を、下段のラック１のほぞ孔３３に嵌合し、複数の単位ラック１を複段に重ね置きし、パンチ及びダイ２０，２１の保有数の増加に対処する。
【００３４】
【発明の効果】
本発明によれば、ベンダー金型の収納と取り出し、点検と整理整頓を容易にし、ベンダー金型の保管・管理の合理化に資することができる。
【００３５】
又工場で保有する多数のベンダー金型を限定されたスペースで保管・管理することができる。
【００３６】
又ラックを箱構造にしてベンダー金型を遮閉し、防塵、防錆の構造を容易に図り得る。
【図面の簡単な説明】
【図１】伸縮レールと金型ホルダーとベンダー金型を伸縮レールの伸縮状態を以って示す斜視図。
【図２】上記伸縮レールを装備したベンダー金型の収納ラックを天板を除去して示す平面図。
【図３】上記ラックの正面図であり、同ラックを複段に重ね載せする状態を説明する図。
【図４】パンチホルダーを装備した伸縮レールの断面図。
【図５】ダイホルダーを装備した伸縮レールの断面図。
【符号の説明】
１          ラック
２          底板
３，４      左右側板
５          天板
６          背板
７          棚
８          支持バー
９          固定レール
１０        摺動レール
１１        底部条板
１２        側部条板
１３        溝
１４        滑子
１５        ガイド溝
１６        ストッパー
１７        螺子
１８        長孔
１９        ナット
２０        パンチ
２１        ダイ
２２        パンチホルダー
２３        ダイホルダー
２４        底部条板
２５        側部条板
２６        溝
２７        取り付けフランジ
２８        パンチ支持板
２９        取り付け穴
３０        取り付け穴
３１        螺子
３２        スタンド用突起
３３        ほぞ孔
３４        引き出し操作板
３５        内向きフランジ
【図１】
0003607242.tif 000002
【図２】
0003607242.tif 000003
【図３】
0003607242.tif 000004
【図４】
0003607242.tif 000005
【図５】
0003607242.tif 000006